(57)【要約】【課題】眼鏡装着時に良好に固定され、装着時の外観を損なわない眼鏡用機器取り付け装置を提供する。【解決手段】眼鏡用機器取り付け装置１は、第１の接触部１１、第２の接触部１２および第３の接触部１３を含む少なくとも３つの接触部と、それぞれの接触部１１，１２，１３を連結する連結部１６と、接触部１１，１２，１３または連結部１６に設けられた機器を取り付ける機器取り付け部１８とを備える。眼鏡テンプル２０に装着した状態で、第３の接触部１３は、眼鏡テンプル２０に沿う方向において、第１の接触部１１と第２の接触部１２との間に設けられ、連結部１６の少なくとも一部はバネ性を有し、該バネ性により第１の接触部１１および第２の接触部１２と、第３の接触部１３とは、テンプル２０を挟み反対側の該テンプル２０の側面に弾性的に当接される。【選択図】図２
2012078588.tif 000002
【特許請求の範囲】
【請求項１】
第１の接触部、第２の接触部および第３の接触部を含む少なくとも３つの接触部と、
前記第１の接触部、前記第２の接触部および前記第３の接触部を連結する連結部と、
前記連結部または前記接触部に設けられた機器を取り付ける機器取り付け部と
を備え、
眼鏡テンプルに装着した状態で、前記第３の接触部は、前記眼鏡テンプルに沿う方向において、前記第１の接触部と前記第２の接触部との間に設けられ、前記連結部の少なくとも一部はバネ性を有し、該バネ性により前記第１の接触部および前記第２の接触部と、前記第３の接触部とは、前記眼鏡テンプルを挟み該眼鏡テンプルの側面に弾性的に当接されることを特徴とする眼鏡用機器取り付け装置。
【請求項２】
前記連結部は、眼鏡テンプルに装着した状態で、該眼鏡テンプルに沿って延在することを特徴とする請求項１に記載の眼鏡用機器取り付け装置。
【請求項３】
前記連結部は、前記第１の接触部と前記第３の接触部とを直接連結し、前記第１の接触部と前記第３の接触部との間の距離は、第１の接触部および第２の接触部と第３の接触部とで挟まれる前記眼鏡テンプルの幅の２倍以上であることを特徴とする請求項１または２に記載の眼鏡用機器取り付け装置。
【請求項４】
前記連結部は、前記第１の接触部と前記第２接触部とを直接連結し、且つ、前記第３の接触部と前記第１の接触部、前記第２の接触部または前記第１の接触部と前記第２の接触部との間を直接連結する連結部とを連結することを特徴とする請求項１または２に記載の眼鏡用機器取り付け装置。
【請求項５】
前記連結部の前記バネ性を有する部分は、前記眼鏡テンプルに装着した状態で側方から見たとき、前記眼鏡テンプルと略同じ高さ位置で該眼鏡テンプルの延在方向に延在することを特徴とする請求項１または２に記載の眼鏡用機器取り付け装置。
【請求項６】
前記連結部の前記バネ性を有する部分は、前記眼鏡テンプルに装着した状態で側方から見たとき、前記眼鏡テンプルの上側または下側で該眼鏡テンプルの延在方向に延在し、前記第１の接触部、前記第２の接触部および前記第３の接触部の少なくとも一つは、前記眼鏡テンプルに対して前記バネ性を有する部分と反対側の鉛直方向の端部に、前記眼鏡テンプルに対する動きを規制する張り出し部を有することを特徴とする請求項１〜４のいずれか一項に記載の眼鏡用機器取り付け装置。
【請求項７】
前記連結部の前記バネ性を有する部分は、前記第１の接触部および前記第２の接触部と前記第３の接触部との間にトーションバネ備え、該トーションバネの中心軸回りのねじりモーメントにより前記第１の接触部および前記第２の接触部と、前記第３の接触部とを前記眼鏡テンプルの両側に弾性的に当接させることを特徴とする請求項１に記載の眼鏡用機器取り付け装置。
【請求項８】
前記連結部は、眼鏡テンプルに装着した状態で、前記第１の接触部と前記第３の接触部との間、および、前記第２の接触部と前記第３の接触部との間を、それぞれ前記眼鏡テンプルの上側および下側のいずれか異なる側を跨って連結することを特徴とする請求項１に記載の眼鏡用機器取り付け装置。
【請求項９】
前記各接触部は、眼鏡テンプルに装着した状態で、該眼鏡テンプルの延在方向に対して垂直方向に、５ｍｍから２０ｍｍの幅を有することを特徴とする請求項１に記載の眼鏡用機器取り付け装置。
【請求項１０】
前記機器取り付け部は、該機器取り付け部に取り付けられる機器の該機器取り付け部に対する取り付け姿勢を調整する調整機構を備えることを特徴とする請求項１に記載の眼鏡用機器取り付け装置。
【請求項１１】
前記接触部の少なくとも一つは、眼鏡テンプルに装着した状態で、該眼鏡テンプルとの当接面に沿う形状を有することを特徴とする請求項１に記載の眼鏡用機器取り付け装置。
【請求項１２】
前記連結部は、眼鏡テンプルに装着した状態で、該眼鏡テンプルに少なくとも一ヶ所で当接し、該眼鏡テンプルに沿う方向に見たとき、前記連結部の前記眼鏡テンプルとの当接面と該連結部により連結される前記接触部の何れか一つと前記眼鏡テンプルとの当接面とは、鋭角を形成していることを特徴とする請求項１に記載の眼鏡用機器取り付け装置。
【請求項１３】
前記連結部は、前記第１の接触部と前記第３の接触部とを連結する第１の連結部と、前記第２の接触部と前記第３の接触部とを連結する第２の連結部とを備え、前記眼鏡テンプルに装着した状態で、該眼鏡テンプルに沿う方向において、前記第１の連結部は前記第２の連結部よりも短く、前記バネ性を有する部分は前記第２の連結部の前記第３の接触部の近傍に設けられていることを特徴とする請求項１に記載の眼鏡用機器取り付け装置。
【請求項１４】
眼鏡テンプルに装着した状態で、前記第２の接触部の後方に位置する第４の接触部を備え、
前記連結部は、前記第１の接触部と前記第２の接触部との間を直接連結する第１の連結部材と、前記第３の接触部と前記第４の接触部との間を直接連結しバネ性を有する第２の連結部材とを含み、前記第１の連結部材と前記第２の連結部材との間は、眼鏡テンプルに装着したときの略鉛直方向に回転軸を有する回転連結部を介して回転可能に連結され、
前記第４の接触部は、前記第３の接触部と同じ側の前記眼鏡テンプルの側面に弾性的に当接され、
前記第２の連結部材における前記回転連結部と前記第３の接触部との間の前記眼鏡テンプルに沿う方向の長さは、前記回転連結部と前記第４の接触部との間の前記眼鏡テンプルに沿う方向の長さよりも短いことを特徴とする請求項１に記載の眼鏡用機器取り付け装置。
【請求項１５】
前記第１の連結部材は、前記第１の接触部と前記第２の接触部との間を連結し、前記第２の連結部材は、前記回転連結部の前後で、それぞれ、前記眼鏡テンプルの上側または下側を跨いで前記第３の接触部および前記第４の接触部に連結されることを特徴とする請求項１４に記載の眼鏡用機器取付け装置。
【請求項１６】
前記第２の連結部材は、鉛直方向に見たとき、前記回転連結部と前記第３の接触部との間で、前記眼鏡テンプルに対して前方に傾いて交差することを特徴とする請求項１５に記載の眼鏡用機器取り付け装置。
【発明の詳細な説明】
【技術分野】
【０００１】
本発明は、眼鏡に画像表示装置やカメラ等の機器を取り付けるための、眼鏡用機器取り付け装置に関する。
【背景技術】
【０００２】
従来、眼鏡に小型のヘッド・マウント・ディスプレイ（ＭＨＤ）やカメラ等の機器を取り付ける場合、大きなピンチ機構（挟み込む機構）を有する支持部材を用いて固定する方法が知られている。例えば、取り付ける対象の機器にクリップ部を設け、このクリップ部でレンズを挟んで機器を保持する眼鏡用機器取付け装置が開示されている（例えば、特許文献１参照）。
【先行技術文献】
【特許文献】
【０００３】
【特許文献１】特開２００８−２４４６５８号公報
【発明の概要】
【発明が解決しようとする課題】
【０００４】
しかしながら、特許文献１のように、眼鏡の一部をクリップで挟む眼鏡用機器取り付け装置では、クリップ部を人の手によりつまんで取り付けるためクリップ部が大きくなり、眼鏡に取り付けた状態でいずれかの方向に張り出しており、装着時の外観を損なっていた。また、クリップ部によってレンズの表裏から挟んで保持すると、取り付ける機器の自重によって機器の位置がずれてしまう課題があった。
【０００５】
したがって、これらの点に着目してなされた本発明の目的は、眼鏡装着時に良好に固定され、装着時の外観を損なわない眼鏡用機器取り付け装置を提供することにある。
【課題を解決するための手段】
【０００６】
上記目的を達成する請求項１に係る眼鏡用機器取り付け装置の発明は、
第１の接触部、第２の接触部および第３の接触部を含む少なくとも３つの接触部と、
前記第１の接触部、前記第２の接触部および前記第３の接触部を連結する連結部と、
前記連結部または前記接触部に設けられた機器を取り付ける機器取り付け部と
を備え、
眼鏡テンプルに装着した状態で、前記第３の接触部は、前記眼鏡テンプルに沿う方向において、前記第１の接触部と前記第２の接触部との間に設けられ、前記連結部の少なくとも一部はバネ性を有し、該バネ性により前記第１の接触部および前記第２の接触部と、前記第３の接触部とは、前記眼鏡テンプルを挟み該眼鏡テンプルの側面に弾性的に当接されることを特徴とするものである。
【０００７】
請求項２に係る発明は、請求項１に記載の眼鏡用機器取り付け装置において、
前記連結部は、眼鏡テンプルに装着した状態で、該眼鏡テンプルに沿って延在することを特徴とするものである。
【０００８】
請求項３に係る発明は、請求項１または２に記載の眼鏡用機器取り付け装置において、
前記連結部は、前記第１の接触部と前記第３の接触部とを直接連結し、前記第１の接触部と前記第３の接触部との間の距離は、前記眼鏡テンプルの幅の２倍以上であることを特徴とするものである。
【０００９】
請求項４に係る発明は、請求項１または２に記載の眼鏡用機器取り付け装置において、
前記連結部は、前記第１の接触部と前記第２接触部とを直接連結し、且つ、前記第３の接触部と前記第１の接触部、前記第２の接触部または前記第１の接触部と前記第２の接触部との間を直接連結する連結部とを連結することを特徴とするものである。
【００１０】
請求項５に係る発明は、請求項1または２に記載の眼鏡用機器取り付け装置において、
前記連結部の前記バネ性を有する部分は、前記眼鏡テンプルに装着した状態で側方から見たとき、前記眼鏡テンプルと略同じ高さ位置で該眼鏡テンプルの延在方向に延在することを特徴とするものである。
【００１１】
請求項６に係る発明は、請求項１〜４のいずれか一項に記載の眼鏡用機器取り付け装置において、
前記連結部の前記バネ性を有する部分は、前記眼鏡テンプルに装着した状態で側方から見たとき、前記眼鏡テンプルの上側または下側で該眼鏡テンプルの延在方向に延在し、前記第１の接触部、前記第２の接触部および前記第３の接触部の少なくとも一つは、前記眼鏡テンプルに対して前記バネ性を有する部分と反対側の鉛直方向の端部に、前記眼鏡テンプルに対する動きを規制する張り出し部を有することを特徴とするものである。
【００１２】
請求項７に係る発明は、請求項１に記載の眼鏡用機器取り付け装置において、
前記連結部の前記バネ性を有する部分は、前記第１の接触部および前記第２の接触部と前記第３の接触部との間にトーションバネを備え、該トーションバネの中心軸回りのねじりモーメントにより前記第１の接触部および前記第２の接触部と、前記第３の接触部とを前記眼鏡テンプルの両側に弾性的に当接させることを特徴とするものである。
【００１３】
請求項８に係る発明は、請求項１に記載の眼鏡用機器取り付け装置において、
前記連結部は、眼鏡テンプルに装着した状態で、前記第１の接触部と前記第３の接触部との間、および、前記第２の接触部と前記第３の接触部との間を、それぞれ前記眼鏡テンプルの上側および下側のいずれか異なる側を跨って連結することを特徴とするものである。
【００１４】
請求項９に係る発明は、請求項１に記載の眼鏡用機器取り付け装置において、
前記各接触部は、眼鏡テンプルに装着した状態で、該眼鏡テンプルの延在方向に対して垂直方向に、５ｍｍから２０ｍｍの幅を有することを特徴とするものである。
【００１５】
請求項１０に係る発明は、請求項１に記載の眼鏡用機器取り付け装置において、
前記機器取り付け部は、該機器取り付け部に取り付けられる機器の該機器取り付け部に対する取り付け姿勢を調整する調整機構を備えることを特徴とするものである。
【００１６】
請求項１１に係る発明は、請求項１に記載の眼鏡用機器取り付け装置において、
前記接触部の少なくとも一つは、眼鏡テンプルに装着した状態で、該眼鏡テンプルとの当接面に沿う形状を有することを特徴とするものである。
【００１７】
請求項１２に係る発明は、請求項１に記載の眼鏡用機器取り付け装置において、
前記連結部は、眼鏡テンプルに装着した状態で、該眼鏡テンプルに少なくとも一ヶ所で当接し、該眼鏡テンプルに沿う方向に見たとき、前記連結部の前記眼鏡テンプルとの当接面と該連結部により連結される前記接触部の何れか一つとは、鋭角を形成していることを特徴とするものである。
【００１８】
請求項１３に係る発明は、請求項１に記載の眼鏡用機器取り付け装置において、
前記連結部は、前記第１の接触部と前記第３の接触部とを連結する第１の連結部と、前記第２の接触部と前記第３の接触部とを連結する第２の連結部とを備え、前記眼鏡テンプルに装着した状態で、該眼鏡テンプルに沿う方向において、前記第１の連結部は前記第２の連結部よりも短く、前記バネ性を有する部分は前記第２の連結部の前記第３の接触部の近傍に設けられていることを特徴とするものである。
【００１９】
請求項１４に係る発明は、請求項１に記載の眼鏡用機器取り付け装置において、
眼鏡テンプルに装着した状態で、前記第２の接触部の後方に位置する第４の接触部を備え、
前記連結部は、前記第１の接触部と前記第２の接触部との間を直接連結する第１の連結部材と、前記第３の接触部と前記第４の接触部との間を直接連結しバネ性を有する第２の連結部材とを含み、前記第１の連結部材と前記第２の連結部材との間は、眼鏡テンプルに装着したときの略鉛直方向に回転軸を有する回転連結部を介して回転可能に連結され、
前記第４の接触部は、前記第３の接触部と同じ側の前記眼鏡テンプルの側面に弾性的に当接され、
前記第２の連結部材における前記回転連結部と前記第３の接触部との間の前記眼鏡テンプルに沿う方向の長さは、前記回転連結部と前記第４の接触部との間の前記眼鏡テンプルに沿う方向の長さよりも短いことを特徴とするものである。
【００２０】
請求項１５に係る発明は、請求項１４に記載の眼鏡用機器取付け装置において、
前記第１の連結部材は、前記第１の接触部と前記第２の接触部との間を連結し、前記第２の連結部材は、前記回転連結部の前後で、それぞれ、前記眼鏡テンプルの上側または下側を跨いで前記第３の接触部および前記第４の接触部に連結されることを特徴とするものである。
【００２１】
請求項１６に係る発明は、請求項１５に記載の眼鏡用機器取り付け装置において、
前記第２の連結部材は、鉛直方向に見たとき、前記回転連結部と前記第３の接触部との間で、前記眼鏡テンプルに対して前方に傾いて交差することを特徴とするものである。
【発明の効果】
【００２２】
本発明によれば、眼鏡テンプルに装着した状態で、前記第３の接触部は、前記眼鏡テンプルに沿う方向において、前記第１の接触部と前記第２の接触部との間に設けられ、連結部の少なくとも一部はバネ性を有し、該バネ性により第１の接触部および第２の接触部と、第３の接触部とは、テンプルを挟みテンプルの側面に弾性的に当接されるようにしたので、眼鏡装着時に良好に固定され、装着時の外観を損なわない眼鏡用機器取り付け装置を提供することができる。
【図面の簡単な説明】
【００２３】
【図１】本発明の第１実施の形態に係る眼鏡用機器取り付け装置の構造を説明する模式図である。
【図２】図１の眼鏡用機器取付け装置を眼鏡に装着した状態を示す図である。
【図３】図１の眼鏡用機器取付け装置におけるテンプルの脱落を防止する構造を説明する図である。
【図４】本発明の第２実施の形態に係る眼鏡用機器取り付け装置の構造を説明する模式図である。
【図５】本発明の第３実施の形態に係る眼鏡用機器取り付け装置の構造を説明する模式図である。
【図６】本発明の第４実施の形態に係る眼鏡用機器取り付け装置の構造を説明する模式図である。
【図７】本発明の第５実施の形態に係る眼鏡用機器取り付け装置の構造を説明する模式図である。
【図８】本発明の第６実施の形態に係る眼鏡用機器取り付け装置の構造を説明する模式図である。
【図９】本発明の第７実施の形態に係る眼鏡用機器取り付け装置の構造を説明する模式図である。
【図１０】本発明の第８実施の形態に係る眼鏡用機器取り付け装置の構造を説明する模式図である。
【図１１】本発明の第９実施の形態に係る眼鏡用機器取り付け装置の構造を説明する模式図である。
【図１２】本発明の第１０実施の形態に係る眼鏡用機器取り付け装置の構造を説明する模式図である。
【図１３】図１２の眼鏡用機器取り付け装置の第２の連結部の回転連結部と第３の接触部との間の部分を示す図である。
【発明を実施するための形態】
【００２４】
以下、本発明の実施の形態について、図面を参照して説明する。なお、以下の説明において、特にことわらない限り、前、後、上、下、鉛直、水平等の方向は、眼鏡用機器取り付け装置をテンプルに取り付けた眼鏡を頭部に装着した状態での方向を示す。また、眼鏡を装着した状態で、眼鏡テンプルの頭部側を内側、その反対側を外側と呼ぶ。
【００２５】
（第１実施の形態）
図１は、本発明の第１実施の形態に係る眼鏡用機器取り付け装置の構造を説明する模式図であり、図１（ａ）は、眼鏡用機器取り付け装置を眼鏡に装着していない状態を示す上面図、また、図１（ｂ）は、眼鏡用機器取付け装置を眼鏡テンプルに装着した状態を示す上面図である。
【００２６】
図１（ａ）に示すように、眼鏡用機器取り付け装置１は、第１の接触部１１と、第２の接触部１２と、第３の接触部１３と、連結部１６と、機器取り付け部１８とを備える。
【００２７】
第１の接触部１１、第２の接触部１２、第３の接触部１３は、眼鏡に装着した状態で上下方向に中心軸を有し、高さが５ｍｍ−２０ｍｍの柱状の部材である。各接触部１１−１３は、眼鏡２１に装着した際に眼鏡テンプル（以下、単に「テンプル」とも呼ぶ）２０に当接する部分を有し、テンプル２０に対して滑りにくく、且つ、テンプルを傷つけないように、ゴム等の弾性部材で被覆されている。また、第１の接触部１１、第３の接触部１３および第２の接触部１２は、前方からこの順に直線的に配置されている。
【００２８】
連結部１６は、第３の接触部１３に固定された剛性部１６ｃと、剛性部１６ｃと第１の接触部１１とを連結する第１腕部１６ａと、剛性部１６ｃと第２の接触部１２とを連結する第２腕部１６ｂと、を含んで構成される。第１腕部１６ａと第２腕部１６ｂとは、板バネなどのバネ性を有する部材で構成される。なお、剛性とは装着時に大きな変形を生じない程度の強度を有する性質を意味し、バネ性とは、装着時に外部から力を加えると変形するが、除荷すれば元の形状に戻る性質を意味するものとする。
【００２９】
ここで、第１腕部１６ａおよび第２腕部１６ｂの高さ幅（図１の紙面に垂直な方向の幅）は、第１の接触部１１、第２の接触部１２および第３の接触部１３の高さ幅よりも小さく、連結部１６はこれら第１の接触部１１、第２の接触部１２および第３の接触部の上側部分を連結している。言い換えれば、第１の接触部１１、第２の接触部１２および第３の接触部１３は、第１腕部１６ａおよび第２腕部１６ｂよりも下側に突出している。  
【００３０】
機器取り付け部１８は、ＨＭＤやカメラ等の機器取り付け用のアタッチメントを有する部材である。アタッチメントとしては、例えば、機器側と嵌合する溝や、ネジ止め用のねじ穴、止め具等種々の形態のものが可能である。機器取り付け部１８は、連結部１６の剛性部１６ｃに固定される。なお、機器取り付け部１８は、連結部１６ではなく、いずれかの接触部１１，１２，１３に取付けても良く、あるいは、連結部１６と接触部１１，１２，１３の双方に跨って取付けても良い。
【００３１】
図１（ｂ）に示すように、眼鏡用機器取り付け装置１は、眼鏡のテンプル２０に取り付けられる。テンプル２０は、眼鏡の右側のテンプルであり、図２（ｂ）の上方向は、眼鏡の前方向に対応する。
【００３２】
眼鏡に装着した状態で、第１の接触部１１と第２の接触部１２とは、テンプル２０の内側、すなわち、装着者の頭側に位置し、第３の接触部１３はテンプル２０の外側に位置し、第１腕部１６ａおよび第２腕部１６ｂよりも下側部分で、テンプル２０を挟み込むように当接する。このとき、バネ性を有する第１腕部１６ａおよび第２腕部１６ｂに加えられる、曲げ応力に対する反力（バネが戻ろうとする力）により、第１の接触部１１と第２の接触部１２は、テンプル２０の内側の側面に対して外側への向けての力Ｆ１およびＦ２を及ぼし、第３の接触部１３は、テンプル２０の内側とは反対の外側の側面に対して力Ｆ１およびＦ２とは反対方向である内側方向への力Ｆ３を及ぼす。眼鏡用機器取り付け装置１は、第１の接触部１１および第２の接触部１２と第３の接触部１３との間で、テンプル２０を挟む力Ｆ１，Ｆ２，Ｆ３、および、これらによる摩擦力によって、テンプル２０に固定される。
【００３３】
図２は、図１の眼鏡用機器取り付け装置を眼鏡に装着した状態を示す図であり、図２（ａ）は、眼鏡の右側部分の上面図、図２（ｂ）は側面図である。これらの図においては、機器取り付け部１８に、ＨＭＤやカメラなどの機器２２が取り付けられている。これらの機器は、テンプルで支持可能な、小型で軽量なモバイル機器である。
【００３４】
図２に示すように、眼鏡用機器取り付け装置１は、眼鏡２１の右側テンプル２０の長手方向に沿って取り付けられている。図２（ｂ）に示すように、第１腕部１６ａおよび第２腕部１６ｂはテンプル２０の上側に沿って延在し、第１の接触部１１、第２の接触部１２および第３の接触部１３は、連結部１６よりも下側に突出し、この突出した部分でテンプル２０と弾性的に当接するように取り付けられる。
【００３５】
以上のような構成によって、眼鏡用機器取り付け装置１を眼鏡２１に取り付ける際には、第１の接触部１１および第２の接触部１２に対して、第３の接触部１３を外側に引っ張り、連結部１６のバネ性を有する第１腕部１６ａおよび第２腕部１６ｂを湾曲させて、第１の接触部１１および第２の接触部１２と第３の接触部１３との間に、テンプル２０を該テンプル２０の上方から挟み込む。これによって、眼鏡用機器取り付け装置１は、図２の状態でテンプル２０に支持される。
【００３６】
さらに、テンプル２０に眼鏡用機器取り付け装置１を取り付けた状態で、機器取り付け部１８に機器２２を取り付けることができる。なお、先に機器２２を眼鏡用機器取り付け装置１の機器取り付け部１８に取り付けて、その後テンプル２０に取り付けるようにしても良い。
【００３７】
以上説明したように、本実施の形態によれば、テンプル２０に装着した状態で、第３の接触部１３は、テンプル２０に沿う方向において、第１の接触部１１と第２の接触部１２との間に設けられ、連結部１６はバネ性を有する第１腕部１６ａおよび第２腕部１６ｂを有し、これら第１腕部１６ａおよび第２腕部１６ｂのバネ性により第１の接触部１１および第２の接触部１２と、第３の接触部１３とは、テンプルを挟んでテンプルの側面に弾性的に当接されるようにしたので、眼鏡装着時に邪魔になることなく装着が容易で、且つ、外観を損なわずに眼鏡に良好に固定することができる。
【００３８】
また、連結部１６は、テンプル２０に装着した状態で、該テンプル２０に沿って延在しているので、取り付けの部材が眼鏡から張り出さず、さらに目立ちにくい。また、連結部１６を板状の部材で構成できるので、装置全体を薄く（側面に飛び出させず）、軽量に構成することができる。
【００３９】
さらに、第１−第３の接触部１１，１２，１３に弾性部材を用いることにより、傷がつきやすいめっきが施されていることの多いテンプル２０に、取り付けの際に傷をつけることを防止することができる。また、第１−第３の接触部１１，１２，１３とテンプル２０との摩擦を大きくすることにより、眼鏡２１からの脱落を防止することができる。
【００４０】
また、第１−第３の接触部１１，１２，１３は、高さが５ｍｍ−２０ｍｍなので、テンプルの一般的な高さよりも高く、この範囲でテンプル２０への取り付けの高さを変えることができ、また、テンプル２０に対して機器の方向を調整することができる。
【００４１】
なお、第１−第３の接触部１１，１２，１３は柱状としたが、形状は柱状に限られない。眼鏡用機器取り付け装置１をテンプル２０から外れにくくするために、別の形状としても良い。あるいは、板状の連結部にゴムシートを帯状に貼り付けて接触部とすることもできる。
【００４２】
図３は、図１の眼鏡用機器取付け装置１におけるテンプル２０の脱落を防止する構造の例を説明する図であり、図３（ａ）は第３の接触部１３を湾曲形状とした場合の断面図、図３（ｂ）は、第３の接触部１３を連結部と鋭角を成すように傾斜させた場合の第３の接触部１３、第１腕部１６ａ、第２腕部１６ｂ、テンプル２０をテンプルに沿う方向に見た図である。いずれも、第３の接触部１３における断面を後方から前方に見た図である。また、第３の接触部１３のみでなく、第１の接触部１１および第２の接触部１２についても、左右を入れ替えて、同様に構成することができる。
【００４３】
図３（ａ）のように、第３の接触部１３のテンプル２０側の面をテンプル２０に沿うように湾曲して構成すれば、テンプル２０が第３の接触部１３からずれにくくなるので、眼鏡用機器取り付け装置１がテンプル２０から脱落しにくくすることができる。
【００４４】
また、図３（ｂ）では、第３の接触部１３を第１腕部１６ａおよび第２腕部１６ｂに対して、この断面図で鋭角を成すように傾けている。このようにすることによって、テンプル２０が第３の接触部１３の下側にずれて脱落するのを防ぐことができる。
【００４５】
さらに、第１の接触部１１、第３の接触部１３および第２の接触部１２は、前方からこの順に直線的に配置されているとしたが、これとは逆に、後方からこの順に配置されても良い。また、テンプル２０に装着していない時の、眼鏡用機器取り付け装置１は、図１（ａ）のように直線状である必要は無く、例えば、テンプル装着時とは逆方向に反る形状となっていても良い。
【００４６】
さらに、第３の接触部１３と第１の接触部１１との距離、および、第３の接触部１３と第２の接触部１２との距離は、それぞれ、装着される眼鏡のテンプル幅の最大値の２倍以上であることが好ましい。このようにすることによって、テンプルの厚さの違いにより、バネ性を有する第１腕部１６ａおよび／または第２腕部にかかる曲げ量の変化を抑えることができ、テンプルの厚さが異なっても、略等しい力加減で眼鏡用機器取り付け装置１の着脱を行うことができる。
【００４７】
（第２実施の形態）
図４は、本発明の第２実施の形態に係る眼鏡用機器取り付け装置の構造を説明する模式図である。図４（ａ）は、眼鏡用機器取り付け装置を眼鏡に装着していない状態を示す上面図、図４（ｂ）は、眼鏡用機器取付け装置をテンプルに装着した状態を示す上面図、図４（ｃ）は、眼鏡用機器取付け装置をテンプルに装着した状態を示す側面図である。
【００４８】
第２実施の形態の眼鏡用機器取り付け装置１では、第１実施の形態と比較して、第１の接触部１１、第２の接触部１２、および第３の接触部１３の位置関係は、眼鏡フレームに沿う方向においては同じであり、眼鏡フレーム２０の内側と外側とが入れ替わっている。また、第１の接触部１１と第２の接触部１２とが連結され、第２の接触部１２と第３の接触部１３とが連結されている。一方、第１の接触部１１と第３の接触部１３とは連結されていない。
【００４９】
また、第１の接触部１１と第２の接触部１２との間の連結部２６は、剛性且つ板状の第１腕部２６ａとなっており、機器取り付け部１８は第１腕部２６ａに固定されている。この第１腕部２６ａは、眼鏡に装着した状態で、テンプル２０と略同じ高さ位置でテンプル２０に沿って延在する。また、第２の接触部１２と第３の接触部１３との間の連結部２６は、板バネで構成されるバネ性を有する第２腕部２６ｂとなっている。この第２腕部２６ｂは、眼鏡に装着した状態で、テンプル２０の上側でテンプル２０を跨ぐ。
【００５０】
この眼鏡用機器取り付け装置１をテンプル２０に取り付ける場合は、第１の接触部１１、第２の接触部１２およびそれらを連結する第１腕部２６ａから第３の接触部１３を第２腕部２６ｂのバネ力に抗して離間させ、テンプル２０を該テンプル２０の上方から挟みこむ。これにより、眼鏡用機器取り付け装置１は、図４（ｂ）および図４（ｃ）に示す状態で保持される。
【００５１】
このとき、バネ性の第２腕部２６ｂに加えられる曲げ応力に対する反力により、第１の接触部１１と第２の接触部１２とは、テンプル２０の外側の側面に対して内側への向けての力Ｆ１およびＦ２を及ぼし、第３の接触部１３はテンプル２０の内側の側面に対してＦ１およびＦ２とは反対方向である外側方向への力Ｆ３を及ぼす。眼鏡用機器取り付け装置１は、第１の接触部１１および第２の接触部１２と第３の接触部１３との間で、テンプル２０を挟む力Ｆ１，Ｆ２，Ｆ３、および、これらによる摩擦力によって、テンプル２０に固定支持される。
【００５２】
なお、第１実施の形態では、上側から見たとき、連結部１６は第１の接触部１１と第３の接触部１３との間、および、第２の接触部１２と第３の接触部１３との間の２箇所でテンプル２０を跨いでいたが、本実施の形態では、連結部２６は、第２の接触部１２と第３の接触部１３との間の１箇所でテンプルを跨ぐ。その他の構成、作用は第１実施の形態と同様なので、同一構成要素には同一参照符号を付して説明を省略する。
【００５３】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、連結部２６が、第１の接触部１１と第２の接触部１２とを直接連結し、且つ、第３の接触部１３と第２の接触部１２とを直接連結するように構成したので、連結部２６がテンプル２０を跨ぐ（上方から見たとき交差する）部分が１箇所のみであり、この部分の長さを装着されるテンプルの厚さと比較して十分長くすることによって、テンプルの厚さの差異に起因する曲げ応力の差異を小さくすることができる。また、連結部２６が、第２の接触部１２で、第１腕部２６ａから第２腕部２６ｂへ折り返された形状となっているので、眼鏡用機器取り付け装置全長を抑えることができる。したがって、小型でありながら、テンプルの厚さの差異に係らずほぼ同様な力加減で取り付けを行うことができる。
【００５４】
また、眼鏡用機器取り付け装置１は、テンプル２０が、剛性の第１腕部２６ａと並行するように取り付けられるので、第３の接触部１３の位置を第１腕部２６ａから離間するようにずらすだけで、容易に取り付けることができる。
【００５５】
（第３実施の形態）
図５は、本発明の第３実施の形態に係る眼鏡用機器取り付け装置の構造を説明する模式図であり、図５（ａ）は眼鏡に取り付けた状態での側面図、図５（ｂ）は第３の接触部、テンプル２０および第２腕部３１ｂを前方より見た図を示している。本実施の形態に係る眼鏡用機器取り付け装置１は、第２実施の形態と連結部３１において異なる。第２の接触部１２と第３の接触部１３との間のバネ性を有する第２腕部３１ｂは、テンプル２０の下側に設けられ、一方、第１腕部３１ａは、第２実施の形態の第１腕部２６ａと同様にテンプルと略同じ高さ位置でテンプル２０に沿って延在する。
【００５６】
また、第３の接触部１３の第２腕部３１ｂが設けられた側と反対側である上端部には、図５（ｂ）に示すように、テンプル２０の動きを規制する張り出し部３２が設けられている。なお、図５（ｂ）において、第３の接触部１３が傾いているのは、テンプル２０装着時において第２腕部３１ｂの有するバネ性により、第２腕部３１ｂが接続された下側部分に、内側方向への力が働いているからである。第３の接触部１３に傾きが生じても、テンプル２０は第３の接触部１３と張り出し部３２とに当接するので、眼鏡用機器取り付け装置１は、テンプル２０から脱落しにくくなっている。その他の構成、作用は第２実施の形態と同様なので、同一構成要素には同一参照符号を付して説明を省略する。なお、図５において、機器取り付け部１８は省略している。
【００５７】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、テンプル２０に装着した状態で側方から見たとき、バネ性を有する第２腕部３１ｂが、テンプル２０の下側でテンプル２０の延在方向に延在し、第３の接触部１３が、テンプル２０に対してバネ性を有する部分と反対側の鉛直方向の端部に、テンプル２０の動きを規制する張り出し部３２を有しているので、眼鏡用機器取り付け装置１はテンプル２０から脱落し難くなっている。
【００５８】
（第４実施の形態）
図６は、本発明の第４実施の形態に係る眼鏡用機器取り付け装置の構造を説明する模式図であり、図６（ａ）は眼鏡に取り付けた状態での側面図、図６（ｂ）は前方からテンプル２０に沿う方向に見た図を示している。第４実施の形態に係る眼鏡用機器取り付け装置１は、第２実施の形態の眼鏡用機器取り付け装置１において、連結部２６に代えて、第１の接触部１１と第２の接触部１２との間を剛性部３６ｃとバネ性部３６ｄとから構成される第１腕部３６ａで連結し、第２接触部１２と第３接触部１３との間は、剛性の第２腕部３６ｂで連結している。機器取り付け部１８は、第１腕部３６ａの剛性部３６ｃに固定されている。その他の構成、作用は第２実施の形態と同様なので、同一構成要素には同一参照符号を付して説明を省略する。
【００５９】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、連結部３６のバネ性部３６ｄは、テンプル２０に装着した状態で側方から見たとき、テンプル２０と略同じ高さ位置でテンプル２０の延在方向に延在する。このため、バネ性部分がテンプル２０の上部または下部でテンプル２０を跨がないので、テンプルを挟み込む力によって第１−第３の接触部１１，１２，１３にモーメント（回転させる力）が働くことはない。このため、第１の接触部１１、第２の接触部１２および第３の接触部１３が傾いて、テンプル２０から脱落しやすくなることを防止することができる。
【００６０】
（第５実施の形態）
図７は、本発明の第５実施の形態に係る眼鏡用機器取り付け装置の構造を説明する模式図であり、眼鏡用機器取り付け装置がテンプルに取り付けられた状態を示している。
【００６１】
本実施の形態は、第２実施の形態に係る眼鏡用機器取り付け装置１において、連結部２６に代えて、第１接触部１１と第２接触部１２とを剛性の板状部材である第１腕部４１ａで連結し、この第１腕部４１ａの第２の接触部１２寄りの部分から第３の接触部１３までを剛性の第２腕部で連結している。
【００６２】
第２腕部４１ｂは、第１腕部４１ａに設けられた図７の紙面に垂直な回転軸４１ｃを中心に、回転可能に取り付けられている。また、第１腕部４１ａと第２腕部４１ｂとの間には、回転軸４１ｃの回りにバネ性部分であるトーションバネ４１ｄが設けられ、該トーションバネ４１ｄのアームの一端が第１腕部４１ａに、他端が第２腕部４１ｂに掛止される。これによって、第３の接触部１３を第１腕部４１ａから離間する方向、すなわち内側の方向に広げてテンプル２０を挟むと、トーションバネ４１ｄの中心軸４１ｃ回りのねじりモーメントによる力Ｆ４により、第３の接触部１３がテンプル２０の内側の面に対して外側方向へ力を及ぼすように当接される。これによって、テンプル２０により眼鏡機器取り付け装置１が支持される。その他の構成、作用は第２実施の形態と同様なので、同一の構成には同一の参照符号を付して説明を省略する。
【００６３】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、連結部４１が剛体の第１腕部４１ａと第２腕部４１ｂとを備え、バネ性部は回転軸４１ｃ周りのトーションバネ４１ｄにより構成される。第１腕部４１ａおよび第２腕部４１ｂは弾性部材ではないので、テンプル２０を挟み込むトーションバネのバネ力により第１腕部４１ａと第２腕部４１ｂとが撚れることが無い。したがって、第１の接触部１１および第の２接触部１２と第３接触部１３との間で、上側または下側が開いて、テンプル２０から眼鏡用機器取り付け装置１が脱落することを防止することができる。
【００６４】
（第６実施の形態）
図８は、本発明の第６実施の形態に係る眼鏡用機器取り付け装置の構造を説明する模式図であり、図８（ａ）は眼鏡フレームに装着した状態での上面図、図８（ｂ）はその側面図である。
【００６５】
本実施の形態に係る眼鏡用機器取り付け装置１は、第１の接触部１１と、第２の接触部１２と、第３の接触部１３と、第４の接触部１４と、連結部４６と、図示しない機器取り付け部を備える。
【００６６】
第１の接触部１１、第２の接触部１２、第３の接触部１３、および、第４の接触部１４は、それぞれテンプル２０に取り付けるための弾性部材であり、眼鏡に装着した状態でテンプル２０に沿う方向に前方から後方に向けて、第１の接触部１１、第３の接触部１３、第４の接触部１４、第２の接触部１２の順になるように配置されている。また、第1の接触部１１および第２の接触部１２はテンプルの内側から、また、第３の接触部１３および第４の接触部１４はテンプルの外側から、それぞれテンプル２０に対して当接する。
【００６７】
連結部４６は、第１腕部４６ａ、第２腕部４６ｂ、ベース板４６ｃ、中心軸４６ｄおよび４６ｅ、トーションバネ４６ｆおよび４６ｇを含んで構成される。ベース板４６ｃは、眼鏡に装着した状態でテンプル２０に沿って延在する板状部材である。機器取り付け部（図示せず）は、このベース板４６ｃに固定される。また、ベース板４６ｃには、眼鏡に装着した状態で前方から順に第３の接触部１３および第４の接触部１４が、内側方向に設けられている。
【００６８】
また、眼鏡に装着した状態で、ベース板４６ｃの外側の２箇所にはそれぞれ上下に中心軸４６ｄ，４６ｅをホールドするための突出片４６ｈと４６ｉおよび４６ｊと４６ｋがそれぞれ対向して設けられている。突出片４６ｈ，４６ｉ，４６ｊ，４６ｋの中央部には、中心軸４６ｄおよび４６ｅを通すための穴が設けられている。中心軸は４６ｄおよび４６ｅにはネジのネジ軸が用いられており、突出片４６ｈと４６ｉとの間に、トーションバネ４６ｆを配置しそのバネ部分に中心軸４６ｄのネジを通して、ナットを用いて固定している。
【００６９】
トーションバネ４６ｆの一方のアームは、ベース板４６ｃに掛止され、他方のアームである第１腕部４６ａの先端は第１の接触部１１と連結される。同様に、突出片４６ｊと４６ｋとの間には、トーションバネ４６ｇを配置しそのバネ部分に中心軸４６ｅのネジを通して、ナットを用いて固定している。トーションバネ４６ｇの一方のアームは、ベース板４６ｃに掛止され、他方のアームである第２腕部４６ｂの先端は第２の接触部１２と連結される。これによって、第１の接触部１１および第２の接触部１２は、テンプル２０の内側の側面に、外側へ向けた力を及ぼす。なお、図８（ｂ）に示すように、第１のアーム４６ａと第２のアーム４６ｂとは、テンプル２０に沿って、上下異なる側を通るように配置される。
【００７０】
以上のような構成によって、眼鏡用機器取り付け装置１をテンプル２０に取り付ける際には、第１の接触部１１および第２の接触部１２をベース板４６ｃに対して内側に押し広げて、第１の接触部１１および第２の接触部１２と第３の接触部１３および第４の接触部１４との間にテンプル２０を挟み込む。これによって、眼鏡用機器取り付け装置１は、図８（ａ）および図８（ｂ）の状態でテンプル２０に支持される。したがって、ＨＭＤやカメラ等のモバイル機器が、機器取り付け部に安定して支持される。
【００７１】
本実施の形態によれば、テンプル２０に装着した状態で、第３の接触部１３および第４の接触部１４は、テンプル２０に沿う方向において、第１の接触部１１と前記第２の接触部１２との間に設けられ、連結部４６はトーションバネであるバネ性部４６ｆおよび４６ｇを有し、これらのバネ性により第１の接触部１１および第２の接触部１２と、第３の接触部１３および第４の接触部１４とは、テンプルを挟んでテンプルの側面に弾性的に当接されるようにしたので、装着時に邪魔にならず、且つ、眼鏡２１の外観を損なわずに眼鏡２１に良好に固定することができる。
【００７２】
また、本実施の形態では、第１のアーム４６ａと第２のアーム４６ｂとを、頭部に装着した状態で、テンプル２０を上下異なる側を跨ぐように配置しているので、テンプル１に対して、眼鏡用機器取り付け装置１が上下いずれかの方向にずれて、脱落することを防ぐことができる。
【００７３】
（第７実施の形態）
図９は、本発明の第７実施の形態に係る眼鏡用機器取り付け装置の構造を説明する模式図であり、図９（ａ）はテンプルに装着した状態での側面図、図９（ｂ）は上面図、図９（ｃ）は、テンプルの後方から前方に見た図である。
【００７４】
本実施の形態に係る眼鏡用機器取り付け装置１は、第１の接触部１１と、第２の接触部１２と、第３の接触部１３と、連結部５１と、機器取り付け部１８とを含んで構成されている。第１の接触部１１、第２の接触部１２、第３の接触部１３は、眼鏡に装着した状態で上下方向に中心軸を有する円柱状の部材であり、それぞれ、眼鏡に装着した際に眼鏡のテンプルに当接する部分を有し表面が弾性部材となっている。また、第３の接触部１３は、第１の接触部１１と第２の接触部１２との間に設けられ、第１の接触部１１、第３の接触部１３および第２の接触部１２は、この順に直線的に配置されている。
【００７５】
連結部５１は、眼鏡に装着した状態で側方から見たとき、図９（ａ）に示すように、逆Ｓ字（あるいはＳ字）を横にした形状の板状または棒状のバネ性を有する部材である。この連結部５１は、テンプル２０を挟むように、テンプル２０と３箇所で交差し、その交差する場所にそれぞれ、第１の接触部１１、第３の接触部１３、第２の接触部１２が順に配置される。具体的には、連結部５１は第１−第３の接触部１１、１２および１３の内部を貫通している。
【００７６】
また、機器取り付け部１８は、図９（ｂ）に示すように、第３の接触部１３の近傍に固定される。
【００７７】
以上のような構成によって、眼鏡用機器取り付け装置１を眼鏡２１に取り付ける際には、第１の接触部１１を下からすくい上げるようにしてテンプル内側に引っかけ、第３の接触部１３をテンプル外側に当てつけて、第２の接触部１２を、テンプル上側を通して、テンプルの内側に引っかけることで、テンプル２０を挟み込む。この場合、連結部５１は、第１の接触部１１と第３の接触部１３との間、および、第２の接触部１２と第３の接触部１３との間を、それぞれテンプル２０の下側および上側を通って連結する。これによって、連結部５１の有するバネ力により、第１の接触部および第２の接触部は、テンプル２０の内側の側面に外側向きの力を及ぼす。また、第３の接触部は、テンプル２０の外側の側面に内側向きの力を及ぼす。これによって、眼鏡用機器取り付け装置１を、テンプル２０に対して固定することができる。
【００７８】
また、図９（ｃ）に示すように、眼鏡用機器取り付け装置１は、連結部５１のバネ力により第１の接触部１１が上向きに傾き、第２の接触部が下向きに傾いた状態でテンプル２０を挟み込む。したがって、眼鏡用機器取り付け装置１が、テンプル２０に対して上方または下方のいずれか一方にずれて、脱落することを防止することができる。
【００７９】
さらに、本実施の形態では、連結部５１のテンプル２０と交差する部分に沿って、上下方向に比較的長い第１−第３の接触部１１，１２，１３を設けることが可能である。したがって、テンプル２０に対して上下方向に比較的広い範囲に亘り眼鏡用機器取り付け装置１を動かして位置調整をすることが可能であり、さらに、テンプル２０に対して角度をつけて固定することも可能である。
【００８０】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、連結部５１が、テンプル２０に装着した状態で、第１の接触部１１と前記第３の接触部１３との間、および、第２の接触部１２と第３の接触部１３との間を、それぞれテンプル２０の上側および下側のいずれか異なる側を通って連結するようにしたので、テンプル２０が脱落しにくく、テンプルに対して角度を設けて固定することも可能な眼鏡用機器取り付け装置を提供することができる。
【００８１】
また、連結部５１がＳ字型の単純な形状の部材のみにより構成されているので、軽量に構成することができ、また製造も容易である。
【００８２】
なお、本実施の形態では、連結部５１は、第１の接触部１１と第３の接触部１３との間で、テンプル２０の下側を通り、第２の接触部１２と第３の接触部１３との間でテンプル２０の上側を通るものとしたが、これとは逆に、第１の接触部１１と第３の接触部１３との間で、テンプル２０の上側を通り、第２の接触部１２と第３の接触部１３との間でテンプル２０の下側を通るようにしても良い。
【００８３】
（第８実施の形態）
図１０は、本発明の第８実施の形態に係る眼鏡用機器取り付け装置の構造を説明する模式図であり、図１０（ａ）は、眼鏡用機器取り付け装置を眼鏡に装着した状態を示す上面図、図１０（ｂ）は、その側面図である。
【００８４】
本実施の形態の眼鏡用機器取り付け装置１は、第２実施の形態の眼鏡用機器取り付け装置において、機器取り付け部１８に代えて、回転機構を備えた機器取り付け機構５２を設けたものである。機器取り付け機構５２は、第１腕部に取付けられた平板状の基板部５２ａと、ＨＭＤやカメラ等とのアタッチメントを有する取付部５２ｂと、基板部５２ａと取付部５２ｂとを相互に回動可能に連結する角度調整機構であるボールジョイント５２ｃとを有する。その他の構成は、第２実施の形態と同様なので、同一の構成要素には同一の参照符号を付して説明を省略する。
【００８５】
以上のように構成されているので、第１実施の形態と同様に、眼鏡用機器取り付け装置１は、眼鏡装着時に邪魔になることなく装着が容易で、且つ、外観を損なわずに眼鏡テンプルに良好に固定することができることに加え、取付部５２ｂにＨＭＤやカメラ等の機器２２を取り付け、ボールジョイント５２ｃにより基板部５２ａに対して回転させることにより、テンプル２０の角度によらず、図１０（ｂ）に示すように機器２２の向き（取り付け姿勢）を自由に調整することが可能になる。
【００８６】
なお、機器取り付け部は、上述のような角度調整機構を有するものに限られず、例えば基板部５２ａに可撓性の部材の一端を連結し、その他端に機器を固定するようにすることもできる。このようにすることによって、機器の取り付け姿勢を可撓性部材を変形させることによって調整することができる。
【００８７】
また、基板部５２ａと取付部５２ｂとの間に前後方向または上下方向へのスライド機構を設けることによって、取付部５２ｂに固定される機器を、前後又は上下方向に位置を調整することができる。
【００８８】
（第９実施の形態）
図１１は、本発明の第９実施の形態に係る眼鏡用機器取り付け装置の構造を説明する模式図であり、図１１（ａ）は、眼鏡用機器取り付け装置を眼鏡に装着していない状態を示す上面図、また、図１１（ｂ）は、眼鏡用機器取付け装置をテンプルに装着した状態を示す上面図である。
【００８９】
本実施の形態の眼鏡用機器取り付け装置１は、第１実施の形態に係る眼鏡用機器取り付け装置において剛性部１６ｃを設けず、第１腕部１６ａを剛性の第１腕部６１ａとし、第２腕部１６ｂを剛性部６１ｃとバネ性部６１ｄとから構成される第２腕部６１ｂとし、機器取り付け部１８を第３の接触部１３の近傍ではなく、第２腕部６１ｂの剛性部６１ｃに固定したものである。ここで、第１腕部６１ａは第２腕部６１ｂよりも短く、好ましくは、第２腕部６１ｂの２分の１以下であることが望ましい。また、第２腕部のバネ性部６１ｄは第３接触部１３に隣接して設けられている。さらに、第２腕部６１ｂの剛性部６１ｃは、第２の接触部１２の近傍で、眼鏡に装着した状態での内側方向に屈曲している。その他の構成は、第１実施の形態と同様であるので、同一構成要素には同一参照符号を付して説明を省略する。
【００９０】
以上のような構成によって、テンプル２０に装着する際には、第１の接触部１１と第３の接触部１３との間で、第１腕部６１ａがテンプル２０を前方から後方に向けて内側から外側に跨ぐようにテンプルに装着し、第２の接触部１２をバネ性部６１ｄのバネ力に抗して内側に動かしテンプル２０に掛止する。
【００９１】
本実施の形態によれば、第１実施の形態と同様に、眼鏡用機器取り付け装置１は、眼鏡装着時に邪魔になることなく装着が容易で、且つ、外観を損なわずに眼鏡テンプルに良好に固定することができる。さらに、テンプル２０に装着した状態で、該テンプル２０に沿う方向の長さにおいて、第１の連結部６１ａは第２の連結部６１ｂよりも短く、バネ性部６１ｄは第２の連結部６１ｂの第３の接触部１３の近傍に設けられているので、眼鏡用機器取り付け装置１を、てこの原理により、比較的弱い力で第２の接触部１２をテンプル２０に掛けて取り付けることができ、且つ、強固にテンプル２０に固定することができる。
【００９２】
（第１０実施の形態）
図１２は、本発明の第１０実施の形態に係る眼鏡用機器取り付け装置の構造を説明する模式図であり、図１２（ａ）は、眼鏡用機器取り付け装置を眼鏡に装着していない状態での上面図、図１２（ｂ）は、眼鏡用機器取付け装置を眼鏡フレームに装着した状態での上面図、図１２（ｃ）は、主要部分の側面図である。
【００９３】
本実施の形態に係る眼鏡用機器取り付け装置１は、第１−第４の接触部１１，１２，１３，１４と、第１の連結部材６７と第２の連結部材６８と、機器取り付け部１８とを含んで構成されている。
【００９４】
第１の連結部材６７は、眼鏡用機器取り付け装置１をテンプル２０に装着した状態で、テンプル２０の外側でテンプル２０の方向に沿う剛性の板状の部材である。第１の連結部６７のテンプルに沿う方向の両端部には、前方から順に第１の接触部１１と第２の接触部１２とが、テンプルに向かって突出するように設けられている。第１の接触部１１と第２の接触部１２とは、上下方向に長い略半円柱状の弾性の部材により構成されている。また、第１の連結部材６７のテンプル側と反対側（外側）の面には、機器取り付け部１８が固定されている。
【００９５】
第２の連結部材６８は、第１の連結部材６７と回転連結部６９により、上下方向（図１２（ａ）および（ｂ）の紙面に垂直な方向）に延びる回転軸の回りに回転可能に連結されている。例えば、第１連結部材６７の上面に、第２連結部材６８が回転可能にピン止めされる。
【００９６】
第２の連結部６８は、回転連結部６９の前後でテンプル２０の上部を跨いで、さらに、それぞれその前方および後方でテンプル２０に沿う細長い板状の部材となっている。第２の連結部材６８の前側の端部には、第３の接触部１３が結合されている。第３の接触部１３は、テンプル２０に装着した際に、テンプル２０に内側から当接するように、外側に向けて突出した弾性部材である。
【００９７】
また、第２の連結部材６８ａの後方は、眼鏡に沿って装着者の耳まで延びる耳掛け部６８ａとなっている。この耳掛け部６８ａを装着者の耳に掛けることにより、眼鏡用機器取り付け装置１は、眼鏡と装着者の２箇所で固定されるため安定した装着が可能である。特に、テンプル２０と接触部１１−１４とによって装着者に対しての取り付け位置が位置決めされるとともに、耳掛け部６８ａにより脱落および眼鏡テンプル２０に対して回転を防止することができる。さらに、第２の連結部材６８ａの回転連結部６９の前方でテンプル２０を跨いだ後第３の接触部までの部分は、バネ性を有するバネ性部６８ｂとなっている。
【００９８】
また、第２の連結部材６８が、テンプル２０を後方で跨いだ直後の位置には、テンプル２０に装着した際に、テンプル２０に内側から当接するように、第４の接触部１４が設けられている。第４の接触部は、第１および第２の接触部１１，１２と同様の形状、材質で構成される。
【００９９】
図１２（ｂ），（ｃ）に示すように、第１−第４の接触部１１，１２，１３，１４は、テンプル２０に装着した状態で、前方から後方へ向けて第１の接触部１１、第３の接触部１３、第２の接触部１２、第４の接触部１４の順に配置される。その際、第３の接触部１３と回転連結部６９との間のテンプル２０に沿う方向の長さ（Ｌ１）は、第４の接触部１４と回転連結部６９との間のテンプルに沿う方向の長さ（Ｌ２）よりも短い。
【０１００】
図１３は、図１２の眼鏡用機器取り付け装置の回転連結部と第３の接触部との間の部分の第２の連結部材６８を示す図であり、図１３（ａ）は、本実施の形態のテンプルに装着した状態、図１３（ｂ）は、本実施の形態のテンプルから外した状態、図１３（ｃ）は比較例のテンプルに装着した状態、図１３（ｄ）は比較例のテンプルから外した状態の上面図である。
【０１０１】
本実施の形態では、図１３（ａ）に示すように、テンプル２０に装着した状態で、第２の連結部材６８は、回転連結部６９と第３の接触部１３との間で、テンプル２０に対して前方に傾いて交差する（テンプル２０を跨ぐ）。こうすることによって、第２の連結部材６８は、図１３（ｂ）に示すように、テンプル２０への取り付け前および取り付け後において、テンプル２０と干渉することなく回転連結部６９回りに大きく回転することができる。また、交差する部分が長いので、より厚みのあるテンプルに対応することが可能である。
【０１０２】
これに対して、比較例として図１３（ｃ）に示すように、第２の連結部材６８がテンプル２０に対して略直交する方向に交差する場合は、第２の連結部材６８は、図１３（ｄ）に示すように、テンプル２０への取り付け前および取り付け後において、テンプル２０と干渉するため回転連結部６９回りに大きく回転することができない。また、この場合厚みの異なるテンプルに対応することも困難である。
【０１０３】
以上のような構成によって、第１実施の形態と同様に、眼鏡用機器取り付け装置１は、眼鏡装着時に邪魔になることなく装着が容易で、且つ、外観を損なわずに眼鏡テンプルに良好に固定することができる。さらに、眼鏡用機器取り付け装置１をテンプル２０に取り付ける際には、まず、第１の接触部１１および第２の接触部１２と第３の接触部１３との間にテンプル２０を挟みこみ、次に、第２の連結部６８の耳掛け部６８ａをバネ性部６８ｂのバネ力に抗して、テンプル２０の内側に引っ張って、第４の接触部１４をテンプル２０の内側の面に当接するように掛止する。第３の接触部１３から回転連結部６９の長さ（Ｌ１）は、第４の接触部１４から回転連結部６９の長さ（Ｌ２）に対して短いので、てこの原理により比較的弱い力で第４の接触部１４をテンプル２０に固定することができる。
【０１０４】
また、第２の連結部材６８は、テンプル２０に装着した状態で鉛直方向に見たとき、回転連結部６９と第３の接触部１３との間で、テンプル２０に対して前方に傾いて交差するようにしたので、第２の連結部材６８がテンプル２０と干渉し難く、容易に厚みの異なるテンプルに対応することができる。
【０１０５】
本実施の形態では、第２の連結部材６８はテンプル２０を上側から跨ぐように構成したが、下側から跨ぐように構成しても良い。
【０１０６】
なお、本発明は、上記実施の形態にのみ限定されるものではなく、幾多の変形または変更が可能である。たとえば、各接触部の形状は、例えば、円柱状としたがこれに限られず、種々の形状の接触部が可能である。また、上記の各実施の形態では、眼鏡の右側テンプルに機器を装着する構成としたが、左側テンプルに対しても同様に適用できることは言うまでもない。
【符号の説明】
【０１０７】
１    眼鏡用機器取り付け装置
１１    第１の接触部
１２    第２の接触部
１３    第３の接触部
１４    第４の接触部
１６    連結部
１６ａ    第１腕部
１６ｂ    第２腕部
１６ｃ    剛性部
１８    機器取り付け部
２０    眼鏡テンプル
２１    眼鏡
２２    機器
２６    連結部
２６ａ    第１腕部
２６ｂ    第２腕部
３１    連結部
３１ａ    第１腕部
３１ｂ    第２腕部
３２    張り出し部
３６    連結部
３６ａ    第１腕部
３６ｂ    第２腕部
４１    連結部
４１ａ    第１腕部
４１ｂ    第２腕部
４１ｃ    回転軸
４１ｄ    トーションバネ
４６    連結部
４６ａ    第１腕部
４６ｂ    第２腕部
４６ｃ    ベース板
４６ｄ，４６ｅ    回転軸
４６ｆ，４６ｇ    トーションバネ
５２    機器取り付け機構
５２ａ    基板部
５２ｂ    取付部
５２ｃ    ボールジョイント
６１    連結部
６１ａ    第１腕部
６１ｂ    第２腕部
６１ｃ    剛性部
６１ｄ    バネ性部
６７    第１の連結部材
６８    第２の連結部材
６８ａ    耳掛け部
６９    回転連結部
Ｆ１，Ｆ２，Ｆ３，Ｆ４    力
Ｌ１，Ｌ２    距離
【図１】
2012078588.tif 000003
【図２】
2012078588.tif 000004
【図３】
2012078588.tif 000005
【図４】
2012078588.tif 000006
【図５】
2012078588.tif 000007
【図６】
2012078588.tif 000008
【図７】
2012078588.tif 000009
【図８】
2012078588.tif 000010
【図９】
2012078588.tif 000011
【図１０】
2012078588.tif 000012
【図１１】
2012078588.tif 000013
【図１２】
2012078588.tif 000014
【図１３】
2012078588.tif 000015